(57)【要約】【課題】操作性が良好であるとともに、電力が有効利用されずに無駄に消費されることを防止することができる放送信号受信装置及び放送信号受信システムを提供する。【解決手段】ＴＶ受像機４０は、ＣＰＵ３１、アンテナ電源部２２、電源部２４、及びＬＥＤバックライト３２を備える。ＣＰＵ３１は、ユーザより衛星放送の受信を要求されたと判定した場合に電源部２４からアンテナ電源部２２へ電源を供給してＢＳ／ＣＳアンテナ１８による衛星放送の受信を可能にし、前記受信を要求されていないと判定した場合には、電源部２４からアンテナ電源部２２への給電を行わない。また、ユーザより画質アップモードの設定を受け付けた場合には、前記受信を要求されていないときに、アンテナ電源部２２へ供給すべき電力をＬＥＤバックライト３２へ供給する。【選択図】図１
2011244335.tif 000002
【特許請求の範囲】
【請求項１】
衛星放送の信号を受信するアンテナへ電力を供給するアンテナ電源回路と、該アンテナ電源回路へ電力を供給する装置電源回路と、該装置電源回路から前記アンテナ電源回路への電力の供給を制御する制御手段とを備える放送信号受信装置において、
衛星放送の受信が要求されたか否かを判定する第１判定手段を備え、
前記制御手段は、前記第１判定手段により前記受信が要求されたと判定した場合に、前記アンテナ電源回路へ電力を供給し、前記第１判定手段により前記受信が要求されていないと判定した場合に、前記アンテナ電源回路へ電力の供給を行わないように構成されていることを特徴とする放送信号受信装置。
【請求項２】
映像を表示する手段と、前記装置電源回路から電力を供給されて前記表示手段の後方から光を照射するバックライトとを備え、
前記制御手段は、前記第１判定手段により前記受信が要求されていないと判定した場合に、前記アンテナ電源回路へ供給すべき電力を前記バックライトへ供給するように構成されていることを特徴とする請求項１に記載の放送信号受信装置。
【請求項３】
前記受信が要求されていない場合に、前記アンテナ電源回路へ供給すべき電力を前記バックライトへ供給する指示を受け付けたか否かを判定する第２判定手段を備え、
前記制御手段は、
前記第１判定手段により前記受信が要求されていないと判定し、前記第２判定手段により前記指示を受け付けたと判定した場合に、前記電力を前記バックライトへ供給することを特徴とする請求項２に記載の放送信号受信装置。
【請求項４】
前記バックライトは複数のＬＥＤを有し、
前記ＬＥＤに接続されているＬＥＤドライバを備え、
前記制御手段は、前記電力を前記バックライトへ供給する場合に、前記電力に対応して前記ＬＥＤの駆動電流の値を上昇させることを特徴とする請求項２又は３に記載の放送信号受信装置。
【請求項５】
衛星放送の信号を受信するアンテナへ電力を供給するアンテナ電源回路と、該アンテナ電源回路へ電力を供給する装置電源回路と、該装置電源回路から前記アンテナ電源回路への電力の供給を制御する制御手段とを備える放送信号受信装置を複数接続してなる放送信号受信システムにおいて、
衛星放送の受信が要求されたか否かを判定する判定手段を備え、
前記判定手段により前記受信が要求されたと判定した場合に、前記受信を行う放送信号受信装置の制御手段がアンテナ電源回路へ電力を供給し、他の放送信号受信装置の制御手段はアンテナ電源回路への電力の供給を行わず、
前記判定手段により全ての放送信号受信装置で前記受信が要求されていないと判定した場合に、全ての放送信号受信装置で前記電力の供給を行わないように構成されていることを特徴とする放送信号受信システム。
【請求項６】
衛星放送の信号を受信するアンテナへ電力を供給するアンテナ電源回路、該アンテナ電源回路へ電力を供給する装置電源回路、及び該装置電源回路から前記アンテナ電源回路への電力の供給を制御する制御手段を備える第１の放送信号受信装置、並びに映像を表示する表示手段、及び前記装置電源回路から電力を供給されて前記表示手段の後方から光を照射するバックライトをさらに備える第２の放送信号受信装置を接続してなる放送信号受信システムにおいて、
衛星放送の受信が要求されたか否かを判定する判定手段を備え、
前記判定手段により前記受信が要求されたと判定した場合に、
前記受信を行う放送信号受信装置の制御手段はアンテナ電源回路へ電力を供給し、
前記受信を行わない放送信号受信装置が前記第１の放送信号受信装置であるとき、該第１の放送信号受信装置の制御手段はアンテナ電源回路への電力の供給を行わず、
前記受信を行わない放送信号受信装置が前記第２の放送信号受信装置であるとき、該第２の放送信号受信装置の制御手段はアンテナ電源回路へ供給すべき電力を前記バックライトへ供給し、
前記判定手段により前記受信が要求されていないと判定した場合に、
前記第１の放送信号受信装置はアンテナ電源回路への電力の供給を行わず、
前記第２の放送信号受信装置の制御手段はアンテナ電源回路へ供給すべき電力を前記バックライトへ供給するように構成されていることを特徴とする放送信号受信システム。
【発明の詳細な説明】
【技術分野】
【０００１】
本発明は、衛星放送を受信する機能を有する放送信号受信装置及び放送信号受信システムに関する。
【背景技術】
【０００２】
近年、テレビ受像機（以下、ＴＶ受像機という）、ＤＶＤ（Digital Versatile Disc）レコーダ、ＢＤ（Blu-ray Disc：登録商標）レコーダ等のＡＶ（Audio and Visual)装置においては、ＢＳ（放送衛星）放送及びＣＳ（通信衛星）放送等の衛星放送を受信する機能を有するものが多い。
衛星放送の番組を視聴するためには、装置電源部からアンテナ電源部及びＢＳ／ＣＳチューナを介しＢＳ／ＣＳアンテナへ電力を供給してコンバータを動作させる必要がある。ＡＶ装置のＣＰＵ（Central Processing Unit）により装置電源部からアンテナ電源部への電力供給を有効に設定することにより、装置電源部からＢＳ／ＣＳアンテナへ電力が供給される。
【０００３】
特許文献１には、ＢＳ放送及びＣＳ放送を受信することができ、ユーザの選局によって受信するアンテナのみに給電するアンテナ用電源切換スイッチを備えるＴＶ受像機の発明が開示されている。このＴＶ受像機は無駄な電力消費を減じることを目的としている。
【先行技術文献】
【特許文献】
【０００４】
【特許文献１】特開平５−２８４０５３号公報
【発明の概要】
【発明が解決しようとする課題】
【０００５】
特許文献１のＴＶ受像機においては、アンテナ電源部及びアンテナ用電源スイッチを介し前記アンテナ用電源切換スイッチに給電されており、衛星放送を受信する、しないに関わらず、アンテナ電源部及びアンテナ用電源スイッチは常にオンであるので、依然として
無駄に消費される電力があるという問題があった。
【０００６】
また、通常、ユーザの初期設定により装置電源部からアンテナ電源部への電力供給は有効に設定されており、ＢＳ／ＣＳアンテナが未使用である場合、例えばユーザがＡＶ装置の外部入出力部から入力された映像信号に基づく映像，写真データに基づく画像，アクトビラ等のインターネットを通じて入力される映像等を鑑賞している場合、店頭展示されている場合等においても、アンテナ電源部へ常時電力が供給されるので、使用されない電力を無駄に消費してしまうという問題があった。このアンテナ電源部への供給電力量は略４〜５Ｗである。ＡＶ装置の定格消費電力を決定する場合、実際にＡＶ装置の機能部で使用される電力の他に、前記供給電力量を考慮しておく必要がある。
【０００７】
一方、前記電力供給を無効に設定した場合、省電力は図られるが、衛星放送の番組を鑑賞する場合には、ユーザは再度有効に設定しなければならず、操作が煩雑であり、不便である。
さらに、家庭内の実使用において、複数のＡＶ装置が一つのＢＳ／ＣＳアンテナに対し接続されている場合、一つのＡＶ装置のアンテナ電源をオンにして衛星放送を受信すればよく、全てのＡＶ装置のアンテナ電源をオンにする必要はない。しかし、他のＡＶ装置に衛星放送の信号を与えることがあるため、自機の動作中にのみアンテナ電源を有効にするのでは不十分であり、全てのＡＶ装置でＢＳ／ＣＳアンテナに常時通電している場合が殆どである。従って、アンテナ電源部から供給される電力を使用しないＡＶ装置においては、電力が有効活用されない状態になっているという問題があった。
【０００８】
本発明は斯かる事情に鑑みてなされたものであり、ユーザの衛星放送の視聴，録画状況等に従ってアンテナ電源の有効／無効を自動的に設定して給電を制御することにより、操作性が良好であるとともに、電力が有効利用されずに無駄に消費されることを防止することができる放送信号受信装置及び放送信号受信システムを提供することを目的とする。
【課題を解決するための手段】
【０００９】
本発明に係る放送信号受信装置は、衛星放送の信号を受信するアンテナへ電力を供給するアンテナ電源回路と、該アンテナ電源回路へ電力を供給する装置電源回路と、該装置電源回路から前記アンテナ電源回路への電力の供給を制御する制御手段とを備える放送信号受信装置において、衛星放送の受信が要求されたか否かを判定する第１判定手段を備え、前記制御手段は、前記第１判定手段により前記受信が要求されたと判定した場合に、前記アンテナ電源回路へ電力を供給し、前記第１判定手段により前記受信が要求されていないと判定した場合に、前記アンテナ電源回路へ電力の供給を行わないように構成されていることを特徴とする。
【００１０】
本発明においては、ユーザにより衛星放送のチャンネルが選択される等して衛星放送の受信が要求された場合に、アンテナ電源回路へ給電し、前記受信が要求されていない場合には給電せず、ユーザの衛星放送の視聴，録画状況等に従ってアンテナ電源の有効／無効を自動的に設定して給電を制御するので、ユーザの設定が不要であり、操作性が良好であるとともに、電力が有効利用されずに無駄に消費されることが防止されている。また、アンテナ電源回路へ供給すべき電力をバックライトの駆動電流を発生させる回路等の性能向上に直結する回路に供給することにより、放送信号受信装置の定格消費電力量を上げることなく、画質等の性能を向上させることも可能になる。
【００１１】
本発明に係る放送信号受信装置は、映像を表示する手段と、前記装置電源回路から電力を供給されて前記表示手段の後方から光を照射するバックライトとを備え、前記制御手段は、前記第１判定手段により前記受信が要求されていないと判定した場合に、前記アンテナ電源回路へ供給すべき電力を前記バックライトへ供給するように構成されていることを特徴とする。
【００１２】
本発明においては、アンテナ電源を使用しない場合に、アンテナ電源回路へ給電すべき電力をバックライトへ供給するので、放送信号受信装置の定格消費電力量は変えずに、バックライトの輝度を上げることができ、良好な画質を得ることができる。
【００１３】
本発明に係る放送信号受信装置は、前記受信が要求されていない場合に、前記アンテナ電源回路へ供給すべき電力を前記バックライトへ供給する指示を受け付けたか否かを判定する第２判定手段を備え、前記制御手段は、前記第１判定手段により前記受信が要求されていないと判定し、前記第２判定手段により前記指示を受け付けたと判定した場合に、前記電力を前記バックライトへ供給することを特徴とする。
【００１４】
本発明においては、アンテナ電源回路へ給電しない場合にアンテナ電源回路へ供給すべき電力をバックライトへ供給する画質アップモードと、バックライトへ供給しない省エネルギーモードとをユーザの選択等により設定するので、ユーザの嗜好，環境への配慮等に対応することができ、利便性が良好である。
【００１５】
本発明に係る放送信号受信装置は、前記バックライトは複数のＬＥＤを有し、前記ＬＥＤに接続されているＬＥＤドライバを備え、前記制御手段は、前記電力を前記バックライトへ供給する場合に、前記電力に対応して前記ＬＥＤの駆動電流の値を上昇させることを特徴とする。
【００１６】
本発明においては、アンテナ電源回路へ供給すべき電力に対応してＬＥＤの駆動電流値の上昇分を設定し、ＬＥＤを駆動することにより、容易にバックライトの輝度を向上させることができる。
【００１７】
本発明に係る放送信号受信装置は、衛星放送の信号を受信するアンテナへ電力を供給するアンテナ電源回路と、該アンテナ電源回路へ電力を供給する装置電源回路と、該装置電源回路から前記アンテナ電源回路への電力の供給を制御する制御手段とを備える放送信号受信装置を複数接続してなる放送信号受信システムにおいて、衛星放送の受信が要求されたか否かを判定する判定手段を備え、前記判定手段により前記受信が要求されたと判定した場合に、前記受信を行う放送信号受信装置の制御手段がアンテナ電源回路へ電力を供給し、他の放送信号受信装置の制御手段はアンテナ電源回路への電力の供給を行わず、前記判定手段により全ての放送信号受信装置で前記受信が要求されていないと判定した場合に、全ての放送信号受信装置で前記電力の供給を行わないように構成されていることを特徴とする。
【００１８】
本発明においては、放送信号受信システムの複数の放送信号受信装置のうち、衛星放送の受信をする一の放送信号受信装置のアンテナ電源回路のみに給電し、他の放送信号受信装置のアンテナ電源回路には給電せず、ユーザの衛星放送の視聴状況等に従って各放送信号受信装置のアンテナ電源の有効／無効を自動的に設定して給電を制御する。従って、電力が有効利用されずに無駄に消費されることが防止される。
【００１９】
本発明に係る放送信号受信装置は、衛星放送の信号を受信するアンテナへ電力を供給するアンテナ電源回路、該アンテナ電源回路へ電力を供給する装置電源回路、及び該装置電源回路から前記アンテナ電源回路への電力の供給を制御する制御手段を備える第１の放送信号受信装置、並びに映像を表示する表示手段、及び前記装置電源回路から電力を供給されて前記表示手段の後方から光を照射するバックライトをさらに備える第２の放送信号受信装置を接続してなる放送信号受信システムにおいて、衛星放送の受信が要求されたか否かを判定する判定手段を備え、前記判定手段により前記受信が要求されたと判定した場合に、前記受信を行う放送信号受信装置の制御手段はアンテナ電源回路へ電力を供給し、前記受信を行わない放送信号受信装置が前記第１の放送信号受信装置であるとき、該第１の放送信号受信装置の制御手段はアンテナ電源回路への電力の供給を行わず、前記受信を行わない放送信号受信装置が前記第２の放送信号受信装置であるとき、該第２の放送信号受信装置の制御手段はアンテナ電源回路へ供給すべき電力を前記バックライトへ供給し、前記判定手段により前記受信が要求されていないと判定した場合に、前記第１の放送信号受信装置はアンテナ電源回路への電力の供給を行わず、前記第２の放送信号受信装置の制御手段はアンテナ電源回路へ供給すべき電力を前記バックライトへ供給するように構成されていることを特徴とする。
【００２０】
本発明においては、衛星放送の受信が要求されていない場合に、アンテナ電源回路へ給電すべき電力をバックライトへ供給するので、放送信号受信システム全体の定格消費電力は変えずに、バックライトの輝度を上げて良好な画質を得ることができる。
【発明の効果】
【００２１】
本発明によれば、ユーザにより衛星放送のチャンネルが選択される等して衛星放送の受信が要求された場合に、アンテナ電源回路へ給電し、前記受信が要求されていない場合には給電せず、ユーザの衛星放送の視聴，録画状況等に従ってアンテナ電源の有効／無効を自動的に設定して給電を制御するので、ユーザの設定が不要であり、操作性が良好であるとともに、電力が有効利用されずに無駄に消費されることが防止される。また、アンテナ電源回路へ供給すべき電力をバックライトの駆動電流を発生させる回路等に供給して、定格消費電力は変えずに放送信号受信装置の性能を向上させることが可能である。
【図面の簡単な説明】
【００２２】
【図１】本発明の実施の形態１に係る放送信号受信装置としてのＴＶ受像機の構成を示すブロック図である。
【図２】本発明の実施の形態１に係るＴＶ受像機のＣＰＵによるモード設定の処理の手順を示すフローチャートである。
【図３】アンテナ電源をオンにする設定の画面の一例を示す図である。
【図４】モードの設定の画面の一例を示す図である。
【図５】本発明の実施の形態１に係るＴＶ受像機のＣＰＵによるアンテナ電源部の給電制御処理の手順を示すフローチャートである。
【図６】本発明の実施の形態２に係る放送信号受信システムを示す模式図である。
【図７】本発明の実施の形態２に係るレコーダの構成を示すブロック図である。
【図８】本発明の実施の形態２に係るＴＶ受像機のＣＰＵによるアンテナ電源部の給電制御処理の手順を示すフローチャートである。
【発明を実施するための形態】
【００２３】
以下、本発明をその実施の形態を示す図面に基づいて具体的に説明する。
実施の形態１．
図１は、本発明の実施の形態１に係る放送信号受信装置としてのＴＶ受像機４０の構成を示すブロック図である。
ＴＶ受像機４０は、メイン基板１、表示制御部２、液晶パネル３、電源部（装置電源回路）２４、ＬＥＤ制御部２７、及びＬＥＤバックライト３２を備える。
【００２４】
メイン基板１は、外部入出力部１１、ＩＲＳＳ（Ir Simple Shot）受信部１２、イーサネット（登録商標）Ｉ／Ｆ１３、地上デジタル放送信号処理部１５、衛星放送信号処理部１９、及びＣＰＵ３１を備える。
【００２５】
外部入出力部１１はＨＤＭＩ（High-Definition Multimedia Interface：登録商標）端子４、Ｄ端子５、Ｓ端子６、ＴＭＤＳ（Transition Minimized Differential Signaling：遷移時間最短作動信号伝送方式）ＳＷ（スイッチ）９、及びＡＶＳＷ１０を備える。ＴＭＤＳＳＷ９は、ＨＤＭＩ端子４から入力されたＴＭＤＳ方式の映像信号のスイッチングを行い、ＣＰＵ３１へ出力する。ＡＶＳＷ１０は、Ｄ端子５又はＳ端子から入力されたアナログの映像信号のスイッチングを行い、ＣＰＵ３１へ出力する。
【００２６】
ＩＲＳＳ受信部１２は、携帯電話機，デジタルカメラ，プリンタ等から写真等の静止画データ７を受信し、ＣＰＵ３１へ送信する。
イーサネットＩ／Ｆ１３は、アクトビラ等のサービスを利用して取得したインターネットデータ８を入力してＣＰＵ３１へ出力する。
【００２７】
地上デジタル放送信号処理部１５は、地デジチューナ１６及び復調処理部１７を備える。地デジチューナ１６は、地デジアンテナ１４により受信された放送信号の中からユーザの選局指示に対応するチャンネルの放送信号を選択して、復調処理部１７へ出力する。復調処理部１７は入力された放送信号を多重化されたトランスポートストリーム（ＴＳ）信号へデジタル復調し、得られたＴＳ信号をＣＰＵ３１へ出力する。
【００２８】
衛星放送信号処理部１９は、ＢＳ／ＣＳチューナ２０、復調処理部２１、及びアンテナ電源部（アンテナ電源回路）２２を備える。ＢＳ／ＣＳチューナ２０は、ＢＳ／ＣＳアンテナ１８により受信されたＢＳ（放送衛星）放送信号又はＣＳ（通信衛星）放送信号の中からユーザの選局指示に対応するチャンネルの放送信号を選択して、復調処理部２１へ出力する。復調処理部２１は入力された放送信号を多重化されたトランスポートストリーム（ＴＳ）信号へデジタル復調し、得られたＴＳ信号をＣＰＵ３１へ出力する。アンテナ電源部２２は、電源部２４から供給された電力をＢＳ／ＣＳチューナ２０を介してＢＳ／ＣＳアンテナ１８へ供給する。
【００２９】
ＣＰＵ３１内のデコーダは符号化されたデータを復号し、元の映像データ及び音声データ等のデータを取り出し、映像データを表示制御部２へ出力する。表示制御部２は、入力された映像信号を液晶パネル３において表示できる形式の映像出力信号に変換し、該映像出力信号を液晶パネル３へ出力する。また、ＣＰＵ３１は、レコーダ，ビデオカメラ等から外部入出力部１１に入力された映像・音声信号、ＩＲＳＳ受信部１２から入力された静止画データ７、及びイーサネットＩ／Ｆ１３から入力されたインタネットデータ８について映像処理を行い、液晶パネル３へ映像出力信号を出力する。
【００３０】
ＬＥＤバックライト３２は複数のＬＥＤを備える。ＬＥＤ制御部２７は、ＬＥＤマイコン２８及びＬＥＤドライバ２９を備える。ＬＥＤドライバ２９は定電圧源と定電流回路を備えており、ＬＥＤマイコン２８によりＬＥＤを駆動する電流値を調整された状態で、すなわちＬＥＤバックライト３２の明るさ（輝度）を調整された状態で、前記映像出力信号に基づきＰＷＭ（Pulse Width Modulation）制御によりＬＥＤの点灯を制御する。
【００３１】
電源部２４は、ＡＣコネクタ２３、電力出力端子２５、及び電力出力端子２６を備える。電源部２４は電力出力端子２５よりメイン基板１、表示制御部２、液晶パネル３、ＬＥＤ制御部２７へ給電し、電力出力端子２６よりＬＥＤバックライト３２へ給電する。ＬＥＤバックライト３２は電力出力端子２６からベース電力を与えられるとともに、ＬＥＤドライバ２９からベース電力に上乗せする電力を与えられる。
【００３２】
以上のように構成されたＴＶ受像機４０においては、ユーザが衛星放送の番組を視聴又は録画するために、衛星放送のチャンネルを選択する等して衛星放送の受信を要求した場合、ＣＰＵ３１はアンテナ電源部２２への電力供給を有効に設定し、アンテナ電源部２２内のスイッチをオンにして、電源部２４の電力出力端子２５からアンテナ電源部２２へ電力を供給する。ユーザは、衛星放送を受信しない場合に、アンテナ電源部２２へ供給すべき電力をＬＥＤバックライト３２へ供給する画質アップモードと、前記電力をＴＶ受像機４０のいずれの回路にも供給しない省エネモードとのいずれのモードに設定するかを予め指示している。ＣＰＵ３１は、設定されたモードに従い給電制御処理を行う。
【００３３】
図２はＴＶ受像機４０のＣＰＵ３１による上述のモード設定の処理の手順を示すフローチャート、図３はアンテナ電源をオンにする設定の画面の一例を示す図、図４はモードの設定の画面の一例を示す図である。
まず、ＣＰＵ３１は、図３に示す設定画面を液晶パネル３に表示し、ユーザによりアンテナ電源をオンにする設定の指示を受け付けたか否かを判定する（Ｓ１）。図３の設定画面においては、アンテナ電源を使用するか否かを「はい」及び「いいえ」のいずれのボタンが選択されたかにより判断するように構成されている。すなわち、ＣＰＵ３１は、「はい」のボタンが選択されたと判定した場合、アンテナ電源をオンにする設定の指示を受け付けたと判定する。
【００３４】
ＣＰＵ３１は前記指示を受け付けたと判定した場合（Ｓ１：ＹＥＳ）、アンテナ電源部２２への給電を有効に設定し、すなわちＣＰＵ３１はアンテナ電源部２２内のスイッチをオンにし（アンテナ電源をオンにし）、電源部２４の電力出力端子２５からアンテナ電源部２２へ給電し、アンテナ電源電圧をＢＳ／ＣＳチューナ２０を介しＢＳ／ＣＳアンテナ１８へ与えて（Ｓ２）、処理を終了する。
【００３５】
ＣＰＵ３１は前記指示を受け付けていないと判定した場合（Ｓ１：ＮＯ）、図４の設定画面を表示し、画質アップモード設定の指示を受け付けたか否かを判定する（Ｓ３）。図４の設定画面においては、画質アップモード及び省エネルギーモードのいずれのモードを設定するかを「画質アップモード」及び「省エネモード」のいずれのボタンが選択されたかにより判断するように構成されている。すなわち、ＣＰＵ３１は、「画質アップモード」のボタンが選択されたと判定した場合、画質アップモードの設定の指示を受け付けたと判定し（Ｓ３：ＹＥＳ）、画質アップモードに設定し（Ｓ４）、処理を終了する。
【００３６】
ＣＰＵ３１は画質アップモードの設定の指示を受け付けていないと判定した場合（Ｓ３：ＮＯ）、すなわち省エネモードの設定の指示を受け付けたと判定した場合、省エネモードに設定し（Ｓ５）、処理を終了する。
【００３７】
次に、ＣＰＵ３１の給電制御処理について説明する。
図５は、ＴＶ受像機４０のＣＰＵ３１によるアンテナ電源部２２の給電制御処理の手順を示すフローチャートである。
前提として、ＣＰＵ３１によりアンテナ電源部２２への電力供給は無効に設定されており、アンテナ電源がオフの状態にあるとする。
まず、ＣＰＵ３１は、画質アップモードが設定されているか否かを判定する（Ｓ１１）。
ＣＰＵ３１は、画質アップモードが設定されていないと判定した場合（Ｓ１１：ＮＯ）、ＢＳ／ＣＳ放送の受信を要求されたか否か、すなわちユーザによりリモートコントロール装置の操作等により衛星放送の番組の視聴又は録画をするために衛星放送のチャンネルが選択されたか否かを判定する（Ｓ１２）。ＣＰＵ３１は前記受信を要求されていないと判定した場合（Ｓ１２：ＮＯ）、アンテナ電源オフの状態を維持し、すなわちアンテナ電源部２２へ給電せず（Ｓ１３）、処理を終了する。ＣＰＵ３１は前記受信を要求されたと判定した場合（Ｓ１２：ＹＥＳ）、アンテナ電源をオンにし、アンテナ電源部２２へ給電して（Ｓ１４）、処理をステップＳ１７へ進める。
【００３８】
ＣＰＵ３１は、ステップＳ１１において画質アップモード設定の指示を受け付けたと判定した場合（Ｓ１１：ＹＥＳ）、衛星放送の受信を要求されたか否かを判定する（Ｓ１５）。
ＣＰＵ３１は前記受信を要求されたと判定した場合（Ｓ１５：ＹＥＳ）、アンテナ電源をオンにする（Ｓ１６）。
【００３９】
次に、ＣＰＵ３１は、例えばユーザが地上デジタル放送のチャンネルに切り替える等して衛星放送の受信の停止を指示し、衛星放送の受信が終了したか否かを判定する（Ｓ１７。ＣＰＵ３１は前記受信が終了していないと判定した場合（Ｓ１７：ＮＯ）、この処理を繰り返す。
ＣＰＵ３１は前記受信が終了したと判定した場合（Ｓ１７：ＹＥＳ）、アンテナ電源をオフにし（Ｓ１８）、処理を終了する。
【００４０】
ＣＰＵ３１は、ステップＳ１５において前記受信を要求されていないと判定した場合（Ｓ１５：ＮＯ）、アンテナ電源オフを維持する（Ｓ１９）。そして、ＬＥＤの駆動電流値を再設定し、再設定した駆動電流値をＬＥＤマイコン２８へ与え、アンテナ電源部２２へ供給すべき電力を電力出力端子２６からＬＥＤバックライト３２へ供給して（Ｓ２０）、処理を終了する。ＣＰＵ３１は、アンテナ電源部２２へ供給すべき電力量に対応して駆動電流値の設定値の補正値（上乗せ分）を算出し、再設定値を算出する。例えば前記電力量が５Ｗである場合、５Ｗに相当する駆動電流値を補正値の上限値として、所要の駆動電流値を再設定する。これにより、電源部２４の電力出力端子２５，２６から出力される電力の総合計はＴＶ受像機４０の定格消費電力を超えないことになる。電力出力端子２６から供給されるベース電力がアンテナ電源の電力分上昇し、これに対応して駆動電流値が上昇するので、ＬＥＤバックライト３２の輝度が上昇し、ＴＶ受像機４０の画質が向上することになる。
【００４１】
以上のように、本実施の形態においては、ユーザがアンテナ電源をオンにするように設定した場合、ＣＰＵ３１はアンテナ電源の供給を常時有効にする。
そして、ユーザが省エネモードを設定した場合においては、ユーザが外部入出力部１１から入力された映像信号に基づく映像、静止画データ７及びインターネットデータ８に基づく映像又は画像、及び地上デジタル放送の番組映像等を視聴しており、又はＴＶ受像機４０が店頭展示されており、衛星放送の受信が要求されていないとＣＰＵ３１が判定したときにはアンテナ電源オフが自動的に維持されるので、使用され得ない電力がアンテナ電源部２２へ供給されることがなく、省電力が図られる。ユーザが衛星放送の受信を指示した場合においては、ユーザがアンテナ電源への電力供給を有効に設定することなく、ＣＰＵ３１が自動的にアンテナ電源をオンにして衛星放送を受信できるようにする。
【００４２】
また、ユーザが画質アップモードを設定した場合においては、ユーザが外部入出力部１１から入力された映像信号に基づく映像、静止画データ７及びインターネットデータ８に基づく映像又は画像、及び地上デジタル放送の番組映像等を視聴しているときに、アンテナ電源部２２へ供給すべき電力をＬＥＤバックライト３２へ供給するので、ＴＶ受像機４０の定格消費電力量を上げることなく、ＬＥＤバックライト３２の輝度を向上させて、映像の画質を向上させることができる。ユーザが衛星放送の受信を指示した場合においては、ユーザがアンテナ電源への電力供給を有効に設定することなく、ＣＰＵ３１が自動的にアンテナ電源をオンにして衛星放送を受信できるようにする。
従って、ユーザの利便性が良好であり、電力を有効利用することが可能である。
【００４３】
なお、前記実施の形態においては、画質アップモードでＬＥＤバックライト３２へ給電する場合に、アンテナ電源部２２へ供給すべき電力を電力出力端子２６からＬＥＤバックライト３２へ供給するように説明しているがこれに限定されるものではなく、前記電力を電力出力端子２５からＬＥＤドライバ２９へ供給し、駆動電流に上乗せすることにしてもよい。また、電力出力端子２６からベース電力をＬＥＤバックライト３２へ供給する場合に限定されず、電力出力端子２５からＬＥＤバックライト３２駆動用の電力を全て供給することにし、アンテナ電源部２２へ供給すべき電力を電力出力端子２５から供給して、駆動電流に上乗せすることにしてもよい。
【００４４】
実施の形態２．
図６は、本発明の実施の形態２に係る放送信号受信システム７０を示す模式図である。
放送信号受信システム８０は、実施の形態１に係るＴＶ受像機４０と、ＴＶ受像機４０にシリアルバス８１を介してＨＤＭＩ接続されたＢＤ録画装置等のレコーダ５０とからなる。
【００４５】
図７は、レコーダ５０の構成を示すブロック図である。
レコーダ５０は、メイン基板５１、電源部６９、及び記録・再生部７３を備える。
メイン基板５１は、外部入出力部５２、地上デジタル放送信号処理部５９、衛星放送信号処理部６３、及びＣＰＵ６７を備える。
【００４６】
外部入出力部５２はＨＤＭＩ端子５３、Ｄ端子５５、Ｓ端子５６、ＴＭＤＳＳＷ５４、及びＡＶＳＷ５７を備える。ＴＭＤＳＳＷ５４は、ＨＤＭＩ端子５３から入力されたＴＭＤＳ方式の映像信号のスイッチングを行い、ＣＰＵ６７へ出力する。ＡＶＳＷ５７は、Ｄ端子５５又はＳ端子５６から入力されたアナログの映像信号のスイッチングを行い、ＣＰＵ６７へ出力する。
【００４７】
地上デジタル放送信号処理部５９は、地デジチューナ６０及び復調処理部６１を備える。地デジチューナ６０は、地デジアンテナ５８により受信された放送信号の中からユーザの選局指示に対応するチャンネルの放送信号を選択して、復調処理部６１へ出力する。復調処理部６１は入力された放送信号を多重化されたトランスポートストリーム（ＴＳ）信号へデジタル復調し、得られたＴＳ信号をＣＰＵ６７へ出力する。
【００４８】
衛星放送信号処理部６３は、ＢＳ／ＣＳチューナ６４、復調処理部６５、アンテナ電源部６６を備える。ＢＳ／ＣＳチューナ６４は、ＢＳ／ＣＳアンテナ６２により受信されたＢＳ放送信号又はＣＳ放送信号の中からユーザの選局指示に対応するチャンネルの放送信号を選択して、復調処理部６５へ出力する。復調処理部６５は入力された放送信号を多重化されたトランスポートストリーム（ＴＳ）信号へデジタル復調し、得られたＴＳ信号をＣＰＵ６７へ出力する。アンテナ電源部６６は、電源部６９から供給された電力をＢＳ／ＣＳチューナ６４を介してＢＳ／ＣＳアンテナ６２へ供給する。
【００４９】
ＣＰＵ６７内のデコーダは地上デジタル放送信号処理部５９及び衛星放送信号処理部６３から入力された符号化データを復号し、元の映像データ及び音声データ等のデータを取り出し、記録・再生部７３へ出力する。
【００５０】
記録・再生部７３は例えばＤＶＤドライブであり、ＣＰＵ６７から与えられた映像データ及び音声データをＤＶＤ，ＢＤに記録する光ピックアップ等を備えている。また、記録・再生部７３は光ピックアップによってＤＶＤ，ＢＤから読み出した映像データ及び音声データをＣＰＵ６７を介して外部入出力部５２へ与える。
【００５１】
電源部６９は、ＡＣコネクタ６８、電力出力端子７０、及び電力出力端子７１を備える。電源部６９は電力出力端子７０よりメイン基板５１へ給電し、電力出力端子７１より記録・再生部７３へ給電する。
【００５２】
ＴＶ受像機４０の構成は実施の形態１に係るＴＶ受像機４０の構成と同一であるので、説明を省略する。
レコーダ５０の地上デジタル放送信号処理部５９並びに衛星放送信号処理部６３からＣＰＵ６７へ与えられた映像データ及び音声データは、外部入出力部５２を介しＴＶ受像機４０へ与えられて液晶パネル３で表示することができる。また、ＴＶ受像機４０の地上デジタル放送信号処理部１５並びに衛星放送信号処理部１９からＣＰＵ３１へ与えられた映像データ及び音声データは、外部入出力部１１及び外部入出力部５２を介しレコーダ５０のＣＰＵ６７へ与えられて記録・再生部７３で記録することができる。
ＴＶ受像機４０とレコーダ５０とは上述したようにＨＤＭＩ接続されているので、ＣＥＣ（Consumer Electronics Control：ＨＤＭＩで規格化されている機器制御信号）によって、映像データ及び音声データの他に、制御情報もＣＰＵ３１とＣＰＵ６７との間で送受信することができる。
【００５３】
以上のように構成された放送信号受信システム８０においては、ユーザが衛星放送の番組を視聴又は録画するために、衛星放送のチャンネルを選択する等して衛星放送の受信を要求した場合、ＣＰＵ３１は衛星放送の受信を行う方のＡＶ装置のアンテナ電源部２２（又はアンテナ電源部６６）への電力供給を有効に設定し、該アンテナ電源部２２（又はアンテナ電源部６６）内のスイッチをオンにして、電源部２４（又は電源部６９）からアンテナ電源部２２（又はアンテナ電源部６６）へ電力を供給する。
実施の形態１と同様に、ＴＶ受像機４０において衛星放送を受信しない場合に、アンテナ電源部２２へ供給すべき電力をＬＥＤバックライト３２へ供給する画質アップモードと、前記電力をＴＶ受像機４０のいずれの回路にも供給しない省エネモードとのいずれのモードに設定するかがユーザにより予め指示されている。ＣＰＵ３１は設定されたモードに従い給電制御処理を実行する。
【００５４】
図８は、ＴＶ受像機４０のＣＰＵ３１によるアンテナ電源部２２，アンテナ電源部６６の給電制御処理の手順を示すフローチャートである。
前提として、ＣＰＵ３１，６７によりアンテナ電源部２２，６６への電力供給は無効に設定されており、アンテナ電源がオフの状態にあるとする。
【００５５】
まず、ＣＰＵ３１は、画質アップモードが設定されているか否かを判定する（Ｓ３１）。
ＣＰＵ３１は、画質アップモードが設定されていないと判定した場合、すなわち省エネモードが設定されていると判定した場合（Ｓ３１：ＮＯ）、ＴＶ受像機４０及びレコーダ５０のいずれかにおいてＢＳ放送又はＣＳ放送の受信を要求されたか否か、すなわちユーザのリモートコントロール装置の操作等によりＴＶ受像機４０及びレコーダ５０のいずれかの装置向けに視聴又は録画のために衛星放送のチャンネルが選択されたか否かを判定する（Ｓ３２）。ここで、レコーダ５０向けに衛星放送の受信が要求された場合、ＣＰＵ３１はユーザの操作により直接前記受信の要求を受け付けることにしてもよく、ＣＰＵ６７が前記要求を受け付けた後、該要求を受け付けたことをＨＤＭＩのＣＥＣ経由でＣＰＵ３１へ送信することにしてもよい。
【００５６】
ＣＰＵ３１はいずれの装置向けにも前記受信を要求されていないと判定した場合（Ｓ３２：ＮＯ）、電源部２４からアンテナ電源部２２への給電を行わず、アンテナ電源オフを維持し、ＨＤＭＩのＣＥＣ経由でＣＰＵ６７によりアンテナ電源部６６への給電無効の設定の維持を指示し、すなわちアンテナ電源のオフを維持し（Ｓ３３）、処理を終了する。
【００５７】
ＣＰＵ３１はいずれかの装置向けに前記受信を要求されたと判定した場合（Ｓ３２：ＹＥＳ）、衛星放送を受信する方の装置のアンテナ電源をオンにし、受信しない方の装置のアンテナ電源オフを維持して（Ｓ３４）、処理をステップＳ４０へ進める。すなわち、ＴＶ受像機４０で衛星放送を受信する場合、アンテナ電源部２２へ給電し、レコーダ５０においてはＣＥＣメッセージによりＣＰＵ６７にアンテナ電源部６６へ給電しないように指示する。レコーダ５０で衛星放送を受信する場合、アンテナ電源部２２へは給電せず、ＣＥＣメッセージによりＣＰＵ６７にアンテナ電源部６６へ給電するように指示する。
【００５８】
一方、ＣＰＵ３１は画質アップモードが設定されていると判定した場合（Ｓ３１：ＹＥＳ）、いずれかの装置において衛星放送の受信を要求されたか否かを判定する（Ｓ３５）。
ＣＰＵ３１はいずれの装置においても前記受信を要求されていないと判定した場合（Ｓ３５：ＮＯ）、ＴＶ受像機４０及びレコーダ５０ともにアンテナ電源オフを維持する（Ｓ３６）。そして、ＣＰＵ３１は、ＬＥＤバックライト３２の駆動電流値を再設定し、アンテナ電源部２２へ供給すべき電力を電力出力端子２６からＬＥＤバックライト３２へ供給して（Ｓ３７）、処理を終了する。ＣＰＵ３１は、アンテナ電源部２２へ供給すべき電力量に対応して駆動電流値の上昇分を算出する。電力出力端子２６から供給されるベース電力がアンテナ電源の電力分上昇し、これに対応して駆動電流値が上昇するので、ＬＥＤバックライト３２の輝度が高くなり、ＴＶ受像機４０の画質が向上することになる。
【００５９】
ＣＰＵ３１は前記受信を要求されたと判定した場合（Ｓ３５：ＹＥＳ）、ＴＶ受像機４０が衛星放送を受信するか否か、すなわちＴＶ受像機４０向けに受信が要求されたか否かを判定する（Ｓ３８）。ＣＰＵ３１はＴＶ受像機４０が受信すると判定した場合（Ｓ３８：ＹＥＳ）、アンテナ電源部２２に給電し（アンテナ電源をオンにし）、ＣＥＣ経由でＣＰＵ６７にアンテナ電源部６９へ給電しない（アンテナ電源オフを維持する）ように指示する（Ｓ３９）。
【００６０】
次に、ＣＰＵ３１は、例えばユーザが地上デジタル放送のチャンネルに切り替える等して衛星放送の受信の停止を指示し、衛星放送の受信が終了したか否かを判定する（Ｓ４０）。ＣＰＵ３１は前記受信が終了していないと判定した場合（Ｓ４０：ＮＯ）、この処理を繰り返す。
ＣＰＵ３１は前記受信が終了したと判定した場合（Ｓ４０：ＹＥＳ）、アンテナ電源をオフにし（Ｓ４１）、処理を終了する。
【００６１】
ＣＰＵ３１はＴＶ受像機４０が受信しないと判定した場合（Ｓ３８：ＮＯ）、アンテナ電源部２２へ給電せず、ＣＥＣ経由でＣＰＵ６７にアンテナ電源部６６へ給電するように指示する（Ｓ４２）。
そして、ＣＰＵ３１は、ＬＥＤバックライト３２の駆動電流値を再設定し、アンテナ電源部２２へ供給すべき電力を電力出力端子２６からＬＥＤバックライト３２へ供給して（Ｓ４３）、処理を終了する。
【００６２】
以上のように、本実施の形態においては、放送信号受信システム８０の２つのＡＶ装置のうち、衛星放送の受信をする一方のＡＶ装置のアンテナ電源部のみに給電し、他方のＡＶ装置のアンテナ電源部には給電せず、ユーザの衛星放送の視聴，録画状況等に従って各ＡＶ装置のアンテナ電源の有効／無効を自動的に設定して給電を制御するので、電力が有効利用されずに無駄に消費されることが防止される。
そして、ＴＶ受像機４０が衛星放送の受信を行わず、ＬＥＤバックライト３２を使用している場合、アンテナ電源部２２へ給電すべき電力をＬＥＤバックライト３２へ供給するので、放送信号受信システム８０全体の定格消費電力は変えずに、ＬＥＤバックライト３２の輝度を上げて良好な画質を得ることができる。
【００６３】
以下に具体的な数値例を挙げて本発明を説明する。
前記実施の形態１に係るＴＶ受像機４０を用い、省エネモードに設定した場合、画質アップモードに設定した場合、ＴＶ受像機４０と同一の構成を有するＴＶ受像機を用い、アンテナ電源部への給電の有効／無効をユーザにより設定した場合（比較例）、それぞれのアンテナ電源オン時，オフ時のＬＥＤ駆動電流（ｍＡ）、ＴＶ受像機の消費電力量（Ｗ）、ＬＥＤバックライトの輝度（ｃｄ／ｍ2 ）を以下の表１に示す。
【００６４】
【表１】
2011244335.tif 000003
【００６５】
表１に示すように、アンテナ電源部２２への給電の有効／無効をＣＰＵ３１により自動的に設定し、省エネモードに設定した場合、アンテナ電源部への給電の有効／無効をユーザにより設定する比較例と、アンテナ電源オン時，オフ時のＬＥＤ駆動電流、ＴＶ受像機の消費電力量、ＬＥＤバックライトの輝度が同一である。そして、画質アップモードに設定した場合、アンテナ電源オフ時に、消費電力量はオン時と同一にした状態で、ＬＥＤバックライト３２の駆動電流を上げて輝度を向上させることができ、画質を向上させることができることが分かる。
【００６６】
以上より、本発明によれば、ユーザの衛星放送の視聴，録画状況に従ってＣＰＵ３１がアンテナ電源部２２への給電の有効／無効を自動的に設定するので、従来のユーザが有効／無効を設定する場合のように操作が煩雑でなく、電力を有効利用することができることが確認された。そして、画質アップモードに設定した場合は、ＴＶ受像機４０の定格消費電力量を上げることなく、画質を向上させることができることが確認された。
【００６７】
なお、前記実施の形態１及び２においては、画質アップモードが設定されている場合で衛星放送の受信を行わず、ＴＶ受像機４０のアンテナ電源オフが維持されるとき、ＬＥＤバックライト３２へ追加給電するように構成しているがこれに限定されるものではない。例えばＴＶ受像機４０の機能部の動作状況に応じてＬＥＤバックライト３２の電源のオン／オフが制御されている場合は、ＬＥＤバックライト３２が使用されているときに、ＬＥＤバックライト３２へ追加給電することにしてもよい。
また、前記実施の形態１においては、放送信号受信装置としてＴＶ受像機４０を適用した場合につき説明しているがこれに限定されるものではなく、放送信号受信装置は衛星放送の受信機能を有するレコーダ等であってもよい。ＴＶ受像機４０の機能部の構成も実施の形態１において説明した場合に限定されるものではない。
【００６８】
そして、放送信号受信システム８０としてＴＶ受像機４０とレコーダ５０とをＨＤＭＩ接続した場合につき説明しているがこれに限定されるものではない。放送信号受信システムを構成する放送信号受信装置は衛星放送を受信可能であればよく、放送信号受信装置の数、内容、及び接続方法は適宜選択することができる。
そして、前記実施の形態１及び２においては、アンテナ電源部２２へ供給すべき電力をＬＥＤバックライト３２へ供給する場合につき説明しているがこれに限定されるものではなく、ＴＶ受像機４０の他の機能部へ供給して画質等の性能を向上させることにしてもよい。
【符号の説明】
【００６９】
１、５０  メイン基板
２  表示制御部
３  液晶パネル
４、５３  ＨＤＭＩ端子
５、５５  Ｄ端子
６、５６  Ｓ端子
７  静止画データ
８  インターネットデータ
９、５４  ＴＭＤＳＳＷ
１０、５７  ＡＶＳＷ
１１、５２  外部入出力部
１２  ＩＲＳＳ受信部
１３  イーサネットＩ／Ｆ
１４、５８  地デジアンテナ
１５、５９  地上デジタル放送信号処理部
１６、６０  地デジチューナ
１７、２１、６１、６５  復調処理部
１８、６２  ＢＳ／ＣＳアンテナ
１９、６３  衛星放送信号処理部
２０、６４  ＢＳ／ＣＳチューナ
２２、６６  アンテナ電源部
２３、６８  ＡＣコネクタ
２４、６９  電源部
２５、２６、７０、７１  電力出力端子
２７  ＬＥＤ制御部
２８  ＬＥＤマイコン
２９  ＬＥＤドライバ
３１、６７  ＣＰＵ
３２  ＬＥＤバックライト
４０  ＴＶ受像機
５０  レコーダ
７３  記録・再生部
８０  放送信号受信システム
８１  シリアルバス
【図１】
2011244335.tif 000004
【図２】
2011244335.tif 000005
【図３】
2011244335.tif 000006
【図４】
2011244335.tif 000007
【図５】
2011244335.tif 000008
【図６】
2011244335.tif 000009
【図７】
2011244335.tif 000010
【図８】
2011244335.tif 000011